(57)【要約】【課題】  多くのメニュー項目により各種機能を設定する映像表示システムは、全ての操作を覚えきれず誤って操作してしまうなど、ユーザーがその機能を上手く使いこなせなくなってきた。本発明は、分かりやすく高機能を使えるようにするためのメニュー操作方法を提供する。【解決手段】  アンテナ１、チューナ２を介して入力された映像信号に基づき映像画面を表示するモニタ装置４と、リモコン１１と、デモ用画像データを記憶する記憶手段７と、デモ画面の表示を制御する表示制御手段８と、操作制御プログラムを記憶した記憶手段６と、親画面と子画面を合成して表示するＭＩＸ回路３を備え、リモコン１１のカーソル移動キーと実行指示キーを操作することにより、カーソル１１が指示するメニュー項目に対応する内容をデモンストレーション用画像データを記憶する記憶手段７から読み出して子画面にシミュレーション表示モードのデモ画面として表示する。【選択図】図１
2006157183.tif 000002
【特許請求の範囲】
【請求項１】
映像信号に基づき映像画面を表示するモニタ装置と、カーソル移動キーと実行指示キーとを有するリモコンと、前記モニタ装置に親画面と該親画面内に子画面を表示する制御手段を備えた映像表示システムにおいて、
前記制御手段は、
前記親画面にメニュー項目を表示した画面と、前記子画面にシミュレーション表示モードによるデモンストレーション画面と、前記親画面と前記子画面にカーソルを表示し、
前記リモコンの前記カーソル移動キーの操作に応じて前記カーソルを移動して前記実行指示キー操作することにより、前記カーソルが指示する前記親画面に表示された前記メニュー項目の内容を、前記子画面に前記デモンストレーション画面として表示する手段を備えたことを特徴とする映像表示システム。
【請求項２】
映像信号に基づき映像画面を表示するモニタ装置と、カーソル移動キーと実行指示キーとを有するリモコンと、前記モニタ装置に親画面と該親画面内に子画面を表示する制御手段を備えた映像表示システムにおいて、
前記制御手段は、
前記子画面に表示するシミュレーション表示モードによるデモンストレーション用画像データを記憶する記憶手段と、
前記デモンストレーション用画像データを前記子画面に表示する表示制御手段と、
前記親画面にメニュー項目とカーソルを表示する操作制御プログラムを記憶した記憶手段と、
前記親画面と前記子画面を合成して表示するＭＩＸ回路を備え、
前記リモコンの前記カーソル移動キーの操作に応じて前記カーソルを移動し前記実行指示キーを操作することにより、前記カーソルが指示する前記メニュー項目に対応する内容を、前記デモンストレーション用画像データを記憶する記憶手段から読み出して前記子画面にデモンストレーション画面として表示することを特徴とする映像表示システム。
【請求項３】
前記シミュレーション表示モードによるデモンストレーション画面は、前記親画面に表示された前記メニュー項目を決定する前に選択することが可能に構成され、前記シミュレーション表示モードを選択することにより前記親画面に表示された前記メニュー項目の内容を前記デモンストレーション画面として表示することを特徴とする請求項１又は請求項２に記載の映像表示システム。
【請求項４】
前記デモンストレーション画面には、前記リモコンを映したリモコン図形と、前記リモコンの押下されたキーに対応する機能の説明文を表示することを特徴とする請求項１乃至請求項３のいずれか一項に記載の映像表示システム。
【請求項５】
前記リモコンのキーが押下されたとき、前記リモコン図形の対応するキーが点滅表示することを特徴とする請求項４に記載の映像表示システム。
【請求項６】
映像信号に基づき映像画面を表示するモニタ装置と、カーソル移動キーと実行指示キーとを有するリモコンと、前記モニタ装置に親画面と該親画面内に子画面を表示する制御手段を備えた映像表示システムのメニュー表示方法において、
前記親画面にメニュー項目を表示した画面と、前記子画面にシミュレーション表示モードによるデモンストレーション画面と、前記親画面と前記子画面にカーソルを表示し、
前記リモコンの前記カーソル移動キーの操作に応じて前記カーソルを移動して前記実行指示キー操作することにより、前記カーソルが指示する前記親画面に表示された前記メニュー項目の内容を、前記子画面に前記デモンストレーション画面として表示することを特徴とする映像表示システムのメニュー表示方法。
【請求項７】
映像信号に基づき映像画面を表示するモニタ装置と、カーソル移動キーと実行指示キーとを有するリモコンと、前記モニタ装置に親画面と該親画面内に子画面を表示する制御手段を備えた映像表示システムのメニュー表示方法において、
前記子画面に表示するシミュレーション表示モードによるデモンストレーション用画像データを記憶し、
親画面と子画面を合成した画面の前記子画面に前記デモンストレーション用画像データを表示し、
前記親画面にメニュー項目とカーソルを表示する操作制御プログラムを記憶し、
前記親画面と前記子画面を合成して表示し、
前記リモコンの前記カーソル移動キーの操作に応じて前記カーソルを移動し前記実行指示キーを操作することにより、前記カーソルが指示する前記メニュー項目に対応する内容を、前記デモンストレーション用画像データを用いて前記子画面にデモンストレーション画面として表示することを特徴とする映像表示システムのメニュー表示方法。
【請求項８】
前記シミュレーション表示モードによるデモンストレーション画面は、前記親画面に表示された前記メニュー項目を決定する前に選択され、
前記シミュレーション表示モードを選択することにより前記親画面に表示された前記メニュー項目の内容を前記デモンストレーション画面として表示することを特徴とする請求項６又は請求項７に記載の映像表示システムのメニュー表示方法。
【請求項９】
前記デモンストレーション画面には、前記リモコンを映したリモコン図形と、前記リモコンの押下されたキーに対応する機能の説明文を表示することを特徴とする請求項６乃至請求項８のいずれか一項に記載の映像表示システムのメニュー表示方法。
【請求項１０】
前記リモコンのキーが押下されたとき、前記リモコン図形の対応するキーが点滅表示することを特徴とする請求項９に記載の映像表示システムのメニュー表示方法。
【発明の詳細な説明】
【技術分野】
【０００１】
本発明は、映像表示システム、及びそのメニュー表示方法に係り、特にメニューが多機能になっても容易にメニュー操作することができるようにした映像表示システム、及びそのメニュー表示方法に関する。
【背景技術】
【０００２】
従来、テレビジョン受像機に接続される機器が増加し、各機器に対応したリモコンが用意され、それぞれ異なる操作をするため、操作の種類がかなりの数となり、操作するに際して操作の内容が煩雑になってしまう問題があった。
【０００３】
このような問題に対し、特開６２−１５２２７４号公報（特許文献１）に提案されているように、テレビジョン受像機のＣＲＴ上に、各機器のメニューおよびそれらの操作すべき操作メニュー画面を表示し、リモコンのカーソル制御部と実行指示制御部とを操作して、カーソル移動キーと実行指示キーとによる操作メニュー画面上での各種操作を可能にすることにより、リモコンのキー数を増加することなく多機能化を図り、操作を簡単にしてきた。
【０００４】
あるいは、特開５−２４４５２７号公報（特許文献２）で提案されているように、操作のための子画面２０とカーソル２２を図５に示すように親画面１９内に表示させ、図６に示したキーを有するリモコン２３により対話形式で操作を行い、操作を簡単かつ容易にし、リモコンの操作ボタン数を削減するといった方法もとられてきた。図５において、２１は親子合成画面である。また、図６において、２４はカーソル２２を移動するジョイスチック、２５は選択ボタン、２６は解除ボタンである。
【特許文献１】特開６２−１５２２７４号公報
【特許文献２】特開５−２４４５２７号公報
【発明の開示】
【発明が解決しようとする課題】
【０００５】
しかし、従来のテレビ技術が進歩し続けている中、高機能・高付加価値化によって、上記従来技術の手法では、全ての操作を覚えきれず誤って操作してしまうなど、ユーザーがその機能を上手く使いこなせなくなってきた。上記特許文献１、２の操作方法にしても、前もってその機能についての知識が無ければ、操作すべき機能がどのように実行されるのか分からない場合がある。
【０００６】
従来技術でも各シーンに応えたテレビのモードなど、分かりやすいとされる様々な使い方があるが、各機能を使う為にはメニュー設定の変更など細かな作業が必要であり、それだけでは広範囲に渡るユーザー全てに理解されるには難しくなってきた。
本発明は、このような広範囲に渡るユーザーに対し、分かりやすく高機能を使えるようにするための映像表示システムのメニュー表示方法、メニュー操作方法を提供するものである。
【課題を解決するための手段】
【０００７】
本発明の請求項１に係る発明の要旨は、映像信号に基づき映像画面を表示するモニタ装置と、カーソル移動キーと実行指示キーとを有するリモコンと、前記モニタ装置に親画面と該親画面内に子画面を表示する制御手段を備えた映像表示システムにおいて、前記制御手段は、前記親画面にメニュー項目を表示した画面と、前記子画面にシミュレーション表示モードによるデモンストレーション画面と、前記親画面と前記子画面にカーソルを表示し、前記リモコンの前記カーソル移動キーの操作に応じて前記カーソルを移動して前記実行指示キー操作することにより、前記カーソルが指示する前記親画面に表示された前記メニュー項目の内容を、前記子画面に前記デモンストレーション画面として表示する手段を備えたことを特徴とする映像表示システムに存する。
また、本発明の請求項２に係る発明の要旨は、映像信号に基づき映像画面を表示するモニタ装置と、カーソル移動キーと実行指示キーとを有するリモコンと、前記モニタ装置に親画面と該親画面内に子画面を表示する制御手段を備えた映像表示システムにおいて、前記制御手段は、前記子画面に表示するシミュレーション表示モードによるデモンストレーション用画像データを記憶する記憶手段と、前記デモンストレーション用画像データを前記子画面に表示する表示制御手段と、前記親画面にメニュー項目とカーソルを表示する操作制御プログラムを記憶した記憶手段と、前記親画面と前記子画面を合成して表示するＭＩＸ回路を備え、前記リモコンの前記カーソル移動キーの操作に応じて前記カーソルを移動し前記実行指示キーを操作することにより、前記カーソルが指示する前記メニュー項目に対応する内容を、前記デモンストレーション用画像データを記憶する記憶手段から読み出して前記子画面にデモンストレーション画面として表示することを特徴とする映像表示システムに存する。
また、本発明の請求項３に係る発明の要旨は、前記シミュレーション表示モードによるデモンストレーション画面は、前記親画面に表示された前記メニュー項目を決定する前に選択することが可能に構成され、前記シミュレーション表示モードを選択することにより前記親画面に表示された前記メニュー項目の内容を前記デモンストレーション画面として表示することを特徴とする請求項１又は請求項２に記載の映像表示システムに存する。
また、本発明の請求項４に係る発明の要旨は、前記デモンストレーション画面には、前記リモコンを映したリモコン図形と、前記リモコンの押下されたキーに対応する機能の説明文を表示することを特徴とする請求項１乃至請求項３のいずれか一項に記載の映像表示システムに存する。
また、本発明の請求項５に係る発明の要旨は、前記リモコンのキーが押下されたとき、前記リモコン図形の対応するキーが点滅表示することを特徴とする請求項４に記載の映像表示システムに存する。
また、本発明の請求項６に係る発明の要旨は、映像信号に基づき映像画面を表示するモニタ装置と、カーソル移動キーと実行指示キーとを有するリモコンと、前記モニタ装置に親画面と該親画面内に子画面を表示する制御手段を備えた映像表示システムのメニュー表示方法において、前記親画面にメニュー項目を表示した画面と、前記子画面にシミュレーション表示モードによるデモンストレーション画面と、前記親画面と前記子画面にカーソルを表示し、前記リモコンの前記カーソル移動キーの操作に応じて前記カーソルを移動して前記実行指示キー操作することにより、前記カーソルが指示する前記親画面に表示された前記メニュー項目の内容を、前記子画面に前記デモンストレーション画面として表示することを特徴とする映像表示システムのメニュー表示方法に存する。
また、本発明の請求項７に係る発明の要旨は、映像信号に基づき映像画面を表示するモニタ装置と、カーソル移動キーと実行指示キーとを有するリモコンと、前記モニタ装置に親画面と該親画面内に子画面を表示する制御手段を備えた映像表示システムのメニュー表示方法において、前記子画面に表示するシミュレーション表示モードによるデモンストレーション用画像データを記憶し、親画面と子画面を合成した画面の前記子画面に前記デモンストレーション用画像データを表示し、前記親画面にメニュー項目とカーソルを表示する操作制御プログラムを記憶し、前記親画面と前記子画面を合成して表示し、前記リモコンの前記カーソル移動キーの操作に応じて前記カーソルを移動し前記実行指示キーを操作することにより、前記カーソルが指示する前記メニュー項目に対応する内容を、前記デモンストレーション用画像データを用いて前記子画面にデモンストレーション画面として表示することを特徴とする映像表示システムのメニュー表示方法に存する。
また、本発明の請求項８に係る発明の要旨は、前記シミュレーション表示モードによるデモンストレーション画面は、前記親画面に表示された前記メニュー項目を決定する前に選択され、前記シミュレーション表示モードを選択することにより前記親画面に表示された前記メニュー項目の内容を前記デモンストレーション画面として表示することを特徴とする請求項６又は請求項７に記載の映像表示システムのメニュー表示方法に存する。
また、本発明の請求項９に係る発明の要旨は、前記デモンストレーション画面には、前記リモコンを映したリモコン図形と、前記リモコンの押下されたキーに対応する機能の説明文を表示することを特徴とする請求項６乃至請求項８のいずれか一項に記載の映像表示システムのメニュー表示方法に存する。
また、本発明の請求項１０に係る発明の要旨は、前記リモコンのキーが押下されたとき、前記リモコン図形の対応するキーが点滅表示することを特徴とする請求項９に記載の映像表示システムのメニュー表示方法に存する。
【発明の効果】
【０００８】
本発明によれば、多機能化しているテレビメニュー機能を、シミュレーション機能を用いて簡単に理解また操作することができ、テレビ利用シーンに応じてスムーズに設定を変更することができる。
【０００９】
なお、所望によりリモコンを画面表示し、各キーを押下したときこのキーに対応する機能を実行する前に、このキーに対応する機能を文字で説明するように画面表示することもできるので、更に簡単にテレビの機能を使い分けることができる。
【発明を実施するための最良の形態】
【００１０】
以下、本発明を実施するための最良の形態を、図面を参照して具体的に説明する。
（第１の実施の形態）
図１は映像表示システムとしてテレビジョン受像機の構成を示した本発明の第１の実施の形態を示したものである。
【００１１】
図１において、１は受信アンテナ、２はチューナである。３は親画面と子画面の画面合成を行うＭＩＸ回路で、モニタ装置に親画面のみ表示したり、あるいは親画面に子画面を表示する制御を行う。４はＭＩＸ回路３からの映像信号により映像を再生するモニタ装置である。
【００１２】
５はマイクロコンピュータ（以下マイコンという）を含む制御部で、テレビジョン受像機全体の制御を行っている。６はマイコンの制御に必要なプログラムが記憶されたメモリで、操作制御プログラムも含むまれている。７はシミュレーションに必要なデモンストレーション用データが記憶されたデモメモリで、デモンストレーション用画像の圧縮データ（ＭＰＥＧ２映像データなど）が記憶されている。８はデモメモリ７に記憶されたデモ画像をモニタ装置４の子画面に表示するための表示制御部である。
【００１３】
９は親画面にメニューを表示するためのメニュー信号（制御信号）である。また、１０は子画面にデモンストレーション用の画面を表示するためのデモ子画面信号である。１１はリモートコントローラ（以下リモコンという）で、赤外線や電波により、リモコンで押下されたキーに対応するデータを送信する。１２はこのリモコン１１から発信された信号を受信し制御部５内のマイコンに伝達するリモコン受信部である。
【００１４】
リモコン１１には電源ＯＮ／ＯＦＦキー３０、モニタ画面上に表示されたカーソル１５を上下左右に移動するカーソル移動キー３１、カーソル１５で示された位置に表示された項目を決定するＥＮＴＥＲキー３２、ＭＥＮＵキー３３、ＥＸＩＴキー３４などを備えている。
【００１５】
このように構成されたテレビジョン受像機の動作を図２のフローチャートにしたがって以下説明する。
【００１６】
ステップＳ１において、リモコン１１のキー操作がおこなわれると、ステップＳ２に進み、リモコン１１のＭＥＮＵキー３３が押下されたかどうかを判断する。
【００１７】
押下されたキーがＭＥＮＵキー３３でなければ、ステップＳ３に進み、押下された各キーに応じた制御などを実行し、ステップＳ２に戻り、ステップＳ２以下の制御が行われる。
【００１８】
押下されたキーがＭＥＮＵキー３３のときは、ステップＳ４に進み、モニタ装置４にメニュー画面を表示する。
【００１９】
メニュー画面表示においてキーが押下されたとき、ステップＳ５において、ＥＸＩＴキー３４が押下されたのかどうかを判断する。ステップＳ５でＥＸＩＴキー３４が押下されたと判断されたときはステップＳ２に戻り、ステップＳ２以下の制御が行われる。
【００２０】
ステップＳ５で、押下されたキーがＥＸＩＴキー３４の押下でなければステップＳ６に進み、リモコン１１のキー操作によって、メニュー画面に表示された項目の選択が行われる。
【００２１】
ステップＳ６で項目を選択するキーが押下されたとき、ステップＳ７においてシミュレーション表示モードの項目が選択されたかどうか判断される。
【００２２】
ステップＳ７でシミュレーション表示モードが選択されたときはステップＳ８に進み、モニタ装置４にシミュレーション表示用の子画面を表示するように制御部５はＭＩＸ回路３を制御する。
【００２３】
ステップＳ９において、メニュー項目が選択される。シミュレーション表示モードから抜けたいときはＥＸＩＴキー３４が押下される。
【００２４】
ステップＳ１０において、項目の決定がなされたかどうかを判断する。リモコン１１のＥＮＴＥＲキー３２が押下されておらず決定がなされていないときにＥＸＩＴキー３４が押下されたときはステップＳ５に戻り、更にステップＳ２に戻り、ステップＳ２以下の制御が行われる。
【００２５】
ステップＳ１０においてリモコン１１のＥＮＴＥＲキー３２が押下され項目の決定がなされると、ステップＳ１１に進み、選択されたメニューが実行される。選択されたメニューの項目に従って子画面１４にそのデモンストレーション用画面が表示される。このデモンストレーション用画面により操作者はそのメニュー項目の内容を理解することができる。
【００２６】
ステップＳ１１のメニュー実行中に、このデモンストレーションを抜けて他のメニューのシミュレーション表示モードとしたいときには、親画面１３からメニューを再選択すればよい。このときはステップＳ１１からＳ５、Ｓ６進み、新たな項目が選択される。また、シミュレーション表示モードから抜けるときは、ＥＸＩＴキー３４を押下するとステップＳ５に戻り、更にステップＳ２に戻り、ステップＳ２以下の制御が行われる。
【００２７】
ステップＳ７において、シミュレーション表示モードが選択されなかったときはステップＳ１２に進み、ステップＳ１２で通常モードとし、ステップＳ１３で通常モードにおけるメニュー項目選択を行う。
【００２８】
ステップＳ１４において、項目の決定がなされたかどうかを判断する。リモコン１１のＥＮＴＥＲキー３２が押下されておらず決定がなされていないときにＥＸＩＴキー３４が押下されたときはステップＳ５に戻り、更にステップＳ２に戻り、ステップＳ２以下の制御が行われる。
【００２９】
ステップＳ１４において、メニュー項目の選択を決定するＥＮＴＥＲキー３２が押下されたと判断されたときはステップＳ１５に進み、選択されたメニューが実行され、ステップＳ５に戻る。
【００３０】
図３はステップＳ１１の実行内容を、バックライト調整の場合を例にとって具体的に示したものである。図３において、４はモニタ装置であり、１４は親画面１３内に表示されたシミュレーションによるデモ画面を表示する子画面である。親画面１３にはメニューの各項目が表示されている。また、右上にはメニューの項目の１つとして「シミュレーション」の文字が表示されている。１５はカーソルであり、親画面１３、子画面１４のいずれにも移動できる。メニューの項目を選択するには、リモコン１１のカーソル移動キー３１によりカーソル１５を所望のメニュー項目が表示されている箇所に移動し、ＥＮＴＥＲキー３２を押下することにより決定される。
【００３１】
図３ではシミュレーション表示モードを選択しているので「シミュレーション」の文字を点滅表示するなどで、シミュレーション表示モードを選択していることが分かりやすく表示される。また、メニュー項目の「バックライト」が選択されているので、「バックライト」の文字を点滅表示するなどで、バックライトを選択していることが分かりやすく表示される。
【００３２】
バックライト調整におけるシミュレーション表示モードでは、子画面１４にバックライトの明暗を調整するためのスライド調整部１６が表示される。操作者は、シミュレーション表示モードの機能を使って、「バックライト」の機能がどのようなものであるかをシミュレートすることができる。いまの場合、−８〜＋８までの範囲をスライダ１７をカーソル１５により移動させる。これはＥＮＴＥＲキー３２を押下しながらカーソル移動キー３１を押下して実行することができる。スライダ１７を移動させると子画面１４内のバックライトが変化して実際にどのように調整されるのかを操作者に認識させることができる。しかしながら、このシミュレーション表示モードでのバックライト変化は実際の親画面１３には適用はされない。
【００３３】
実際に通常画面のバックライトを調整したいときには、このシミュレーション表示モードを抜けて通常のモードに戻ってリモコン１１のキーを操作すればよい。
【００３４】
このように操作者はステップＳ８のシミュレーションデモ表示を見て、各メニュー項目における実際の機能を正しく認識し、誤った操作をすることが無くなる。また、各メニュー項目の機能を忘れたとしても、シミュレーションデモ表示を見て思い出すことができる。
【００３５】
なお、デモンストレーション用のシミュレーションでは上記のように操作者がデモ画面で操作することができるようにしてもよく、あるいはメニュー項目によっては操作者が介入できない単なるデモ画面であっても十分理解できるものについては、操作内容をシミュレートした画面が自動的に流れていく単なるデモ画面の表示であってもよい。
【００３６】
（第２の実施の形態）
更に、テレビを使い始め日が浅い人や頻繁にリモコンを用いない人は、操作する際、画面とリモコンの両方を確認し選択していかなければならないので、誤操作が増えると考えられる。そこで、補助的要素として画面にリモコンの図を表示してボタンの押し間違いを防ぐようにする。
【００３７】
本第２の実施の形態では、上記第１の実施の形態のシミュレーション機能を利用することができる。この場合、メニューに、例えば「リモコンのキー説明」のような記載で項目が登録されている。
【００３８】
そしてリモコンのキーの機能が不明のときは、リモコンの図を表示して操作を行う。このためのリモコンの図を表示する場合には、図２のフローチャートに従い操作を行い、ステップＳ９において「リモコンのキー説明」のメニュー項目を選択する。
【００３９】
するとステップＳ１０、Ｓ１１と進んで、モニタ装置４の子画面１４に図４に示すようにリモコンの形状や、電源ＯＮ／ＯＦＦキー３０、カーソル移動キー３１、ＥＮＴＥＲキー３２、ＭＥＮＵキー３３、ＥＸＩＴキー３４などのキー配置を示すリモコン図形１８が表示される。そしてリモコン１１の任意のキーを押下するとリモコン図形１８の対応するキーが点滅し、そのキーの機能内容が右欄に表示される。
【００４０】
例えば図４では、リモコン１１の電源ＯＮ／ＯＦＦキー３０を押下するとそれに対応するリモコン図形１８の電源ＯＮ／ＯＦＦキー３０が点滅し、「電源を入／切りします。」といったような説明文が表示される。
【００４１】
この画面はシミュレーションなのでリモコン１１のキーを押下してもその機能は実際には実行されない。そして操作者はリモコン１１のキーがどのような機能のキーなのかを認識することができる。実際にそのキーを使って操作を実行するときはこのシミュレーション表示モードを抜けて通常のモードに戻ってリモコン１１のキーを操作すればよい。
【００４２】
以上、第１〜２の実施の形態について具体的に説明したが、本発明はこれら実施の形態に限らず、発明の主旨を変更しない範囲で変更して実施できることはいうまでもない。
【産業上の利用可能性】
【００４３】
本発明は、テレビジョン受像機に限らず、操作が多機能になった装置に広く利用できる。
【図面の簡単な説明】
【００４４】
【図１】本発明による映像表示システムの第１の実施の形態を示す図である。
【図２】本発明による第１の実施の形態の制御フローチャートである。
【図３】本発明による第１の実施の形態の動作を説明する図である。
【図４】本発明による第２の実施の形態を示す図である。
【図５】従来技術におけるメニュー操作を説明する図である。
【図６】従来技術におけるメニュー操作を行うリモコンの例を示した図である。
【符号の説明】
【００４５】
１・・・受信アンテナ
２・・・チューナ
３・・・ＭＩＸ回路
４・・・モニタ装置
５・・・制御部
６・・・メモリ
７・・・デモメモリ
８・・・表示制御部
９・・・メニュー信号（制御信号）
１０・・・デモ子画面信号
１１、２３・・・リモートコントローラ（リモコン）
１２・・・リモコン受信部
１３、１９・・・親画面
１４、２０・・・子画面
１５、２２・・・カーソル
１６・・・スライド調整部
１７・・・スライダ
１８・・・リモコン図形
２１・・・親子合成画面
２４・・・ジョイスチック
２５・・・選択ボタン
２６・・・解除ボタン
３０・・・電源ＯＮ／ＯＦＦキー
３１・・・カーソル移動キー
３２・・・ＥＮＴＥＲキー
３３・・・ＭＥＮＵキー
３４・・・ＥＸＩＴキー
【図１】
2006157183.tif 000003
【図２】
2006157183.tif 000004
【図３】
2006157183.tif 000005
【図４】
2006157183.tif 000006
【図５】
2006157183.tif 000007
【図６】
2006157183.tif 000008